(57)【特許請求の範囲】
【請求項１】
エレベータの乗車口を囲うためのエレベータ用仮囲であって、
エレベータの乗車口を囲う仮囲本体と、
上記仮囲本体の底面に着脱可能に取り付けられた固定ブラケットと、
上記固定ブラケットに対して、上記固定ブラケットを貫通した軸を中心として回動可能に取り付けられた可動ブラケットと、
上記可動ブラケットの底面に取り付けられたキャスター車輪と、を有し、
上記仮囲本体の底部前面には、上記固定ブラケットを取り付けるためのスリットが設けられており、
上記固定ブラケットには、上記スリットに係合する係合片が設けられており、
上記固定ブラケットの係合片が上記仮囲本体のスリットに係合することで、上記固定ブラケットが上記仮囲本体に対して着脱可能となっており、
上記仮囲本体を移動させる際には、上記可動ブラケットは、上記仮囲の側面外側に飛び出した位置から上記仮囲に取り付けられた上記固定ブラケットと並行して立つ位置に回動されて上記固定ブラケットに固定されることで、上記キャスター車輪が接地した状態となり、
上記仮囲本体を設置する際には、上記固定ブラケットに対して、上記キャスター車輪が仮囲の側面外側に飛び出す位置に回動された状態で、上記係合片を上記スリットから取り外すことが可能となり、上記仮囲本体が自立して設置される、
ことを特徴とするエレベータ用仮囲。
【請求項２】
上記固定ブラケットと可動ブラケットとの間には、上記仮囲本体を移動させる際に、上記可動ブラケットを上記固定ブラケットと並行して立った位置で動きを規制するための規制ブラケットが設けられており、
上記規制ブラケットは、一端を固定ブラケットに取り付けられ、他端が上記可動ブラケットに契合することで、上記可動ブラケットの動きを規制する、
請求項１記載のエレベータ用仮囲。
【請求項３】
上記規制ブラケットは、その一端を固定ブラケットに貫通した軸により、固定ブラケットに対して回動可能に固定されており、
その端からは、レバーが前方に延びだすように構成されており、
上記可動ブラケットの規制を解除する場合、上記レバーにより、一端側の軸を中心として規制ブラケットが持ち上げられることで、上記可動ブラケットの規制が解除される、
請求項２記載のエレベータ用仮囲。
【請求項４】
上記可動ブラケットの前面には、上記可動ブラケットを動かすための工具の挿入孔が形成された前面ブラケットが取り付けられており、
上記前面ブラケットの工具挿入孔から工具を挿入することで、上記可動ブラケットを回動させる、
請求項１〜３のいずれかに記載のエレベータ用仮囲。
【発明の詳細な説明】
【技術分野】
【０００１】
本発明は、エレベータの改修時等、所定の期間だけエレベータの乗場に仮設置されるエレベータの仮囲いに関する。
【背景技術】
【０００２】
エレベータ乗場での改修作業時には、所定の期間だけ、エレベータ乗場に仮囲いが設置される。この仮囲いには、エレベータ改修作業員の作業空間を形成するとともに、通行人の安全を確保する役割がある。
【０００３】
従来は、エレベータの改修作業を行う都度に、木枠や石膏ボードなどを用いて適宜仮囲いを設置し、作業期間終了時に解体していた。
エレベータ乗場の仮囲いの奥行きを適宜変更できるようにしたものとして、蛇腹式を採用した特許文献１や側壁と天井とをそれぞれ可動式パネルを用いて折り畳み式にした特許文献２が提案されている。
【０００４】
従来の仮囲いは、奥行きは変更可能であるが、簡単に移動させることはできない。
特に、仮囲として石膏ボードや鉄板などを用いると、仮囲自体の重量がとても重くなってしまし(例えば２００ｋｇ程度)、これを単に引きずるって動かすことは極めて困難であった。
また無理に動かそうとすると、設置している床を傷をつける恐れもあるし、また台車を用意して動かそうとしても、一旦仮囲を持ち上げないと台車を出し入れすることができず、移動が極めて難しいという問題があった。
そのため、複数のエレベータが並んでいるところで連続的に作業を行う場合、この仮囲を次のエレベータのところまで移動させることがとても面倒で、作業工程が多くかかってしまうとい問題があった。
また同様に、エレベータに設定されている三方枠を撤去して工事を行う場合、周囲のコンクリートを破砕するために破りドリルなどの機器を使用する場合、仮囲の中では作業ができないため、仮囲を壁面から一時的に移動させたい場合もあるが、従来の仮囲では上述のように簡単に移動させることはできなないという問題があった。
同様に、作業が終わって次の現場に移る場合には、従来はいちいち解体して、組み立てるという工程が必要となってしまい簡単に仮囲自体を移動させることができなかった。
【先行技術文献】
【特許文献】
【０００５】
【特許文献１】特開２００３−７３０６０号公報
【特許文献２】特開２０１１−１８４１１３号公報
【発明の概要】
【発明が解決しようとする課題】
【０００６】
本発明は、上述のような状況に鑑みてなされたもので、現場にあわせて容易に移動可能でき、また作業時には安定して仮囲を設置することができるエレベータ用仮囲を提供することを目的とする。
【課題を解決するための手段】
【０００７】
本発明は、エレベータの乗車口を囲うためのエレベータ用仮囲であって、エレベータの乗車口を囲う仮囲本体と、上記仮囲本体の底面に固定された固定ブラケットと、上記固定ブラケットに対して、上記固定ブラケットに貫通した軸を中心として回動可能に取り付けられた可動ブラケットと、上記可動ブラケットの底面に取り付けられたキャスター車輪と、を有し、上記仮囲本体を移動させる際には、上記可動ブラケットは、上記固定ブラケットと並行して立つ位置で上記固定ブラケットに固定されることで、上記キャスター車輪が接地した状態となり、上記仮囲本体を設置する際には、上記固定ブラケットに対して、上記キャスター車輪を接地面から外す位置に回動することを特徴とする。
【０００８】
上記仮囲本体の底部には、上記固定ブラケットを取り付けるためのスリットが設けられており、
上記固定ブラケットには、上記スリットに係合する係合片が設けられており、上記固定ブラケットの係合片が上記仮囲本体のスリットに係合ことで、上記固定ブラケットが上記仮囲本体に対して着脱可能となっていてもよい。
【０００９】
上記固定ブラケットと可動ブラケットとの間には、上記仮囲本体を移動させる際に、上記可動ブラケットを上記固定ブラケットと並行して立った位置で動きを規制するための規制ブラケットが設けられており、上記規制ブラケットは、一端を固定ブラケットに取り付けられ、他端が上記回動ブラケットに契合することで、上記可動ブラケットの動きを規制するようにしてもよい。
上記規制ブラケットは、その一端を固定ブラケットに貫通した軸により、固定ブラケットに対して回動可能に固定されており、その端からは、レバーが前方に延びだすように構成されており、上記可動ブラケットの規制を解除する場合、上記レバーにより、一端側の軸を中心として規制ブラケットが持ち上げられることで、上記可動ブラケットの記載が解除されるようにしてもよい。
【００１０】
上記可動ブラケットの前面には、上記可動ブラケットを動かすための工具の挿入孔が形成された前面ブラケットが取り付けられており、上記前面ブラケットの工具挿入孔から工具を挿入することで、上記可動ブラケットを回動させていてもよい。
【発明の効果】
【００１１】
本発明によれば、現場の状況に合わせて簡単に仮囲を移動させることができるし、また作業時には安定して仮囲を設置しておくことができる。
【図面の簡単な説明】
【００１２】
【図１】本実施形態に係るエレベータ用仮囲の全体斜視図。
【図２】本実施形態に係る要部分解斜視図。
【図３】本実施形態にかかるエレベータ仮囲に対してブラケットを取り付け態様を示した斜視図。
【図４】本実施形態にかかるエレベータ用仮囲を設置した際のブラケットを示した斜視図。
【図５】本実施形態にかかるエレベータ用仮囲を設置した際のブラケットの一部を透視した正面図。
【図６】本実施形態にかかるエレベータ用仮囲を移動させる際のブラケットを示した斜視図。
【図７】本実施形態にかかるエレベータ用仮囲を移動させる際のブラケットの一部を透視した正面図。
【図８】本実施形態にかかるブラケットの動きを示した斜視図。
【図９】本実施形態にかかるブラケットの動きを示した一部を透視した正面図。
【発明を実施するための形態】
【００１３】
本発明にかかる一の実施形態について図面を参照して説明する。
図１、図２において、本実施形態のエレベータ用仮囲１には、その底面の４箇所にキャスター２が着脱可能に取り付けられる。
エレベータ用仮囲１の本体は、鉄板などを組み合わせて箱型に形成されており、エレベータに取り付けられる面は開口している。このエレベータ用仮囲１を構成する鉄板の枚数などはその現場にあわせて任意の枚数を組み合わせ、任意の大きさのエレベータ用仮囲を作ることができる。
このエレベータ用仮囲１の正面には、作業員が仮囲内に出入りするためのドアが設けられている。
また、本実施形態では、キャスター２は、前面の幅方向両側面よりの位置に左右それぞれ１個と、エレベータ用仮囲１の両側面の幅方向ややエレベータ寄り位置にそれぞれ１個取り付けられている。これにより合計４箇所キャスター２が取り付けられている。このキャスター２を取り付ける位置及び個数は任意である。
【００１４】
図３に示すように、キャスター２は、キャスター２をエレベータ仮囲１に対して着脱可能に取り付けるための固定ブラケット２１と、この固定ブラケット２１に対して回動可能に取り付けられる可動ブラケット２２と、可動ブラケット２を係止して規制する係止(規制)ブラケット２３と、回動を規制するための回動止ブラケット２４、係止ブラケット２３の解除レバーが露出する前面ブラケット２５、軸２６，２７，２８と、可動ブラケット２２に底面に取り付けられたキャスター車輪２９を有している。
【００１５】
固定ブラケット２１は、背面板２１０、側面板２１１、２１１を有している。
背面板２１１は、両側面板２１１、２１１を繋ぐものであり、その上端部には孔が形成され、その孔にビスなどで回動止ブラケット２４が取り付けられるようになっている。
側面板２１１は、その背面側に仮囲１に取り付けるための上側の係合片２１１a、下側の係合片２１１ｂが形成されている。この係合片２１１ａ、２１１ｂが仮囲１側に設けられた差し込みスリット１１に挿入されて係合することで、キャスター２が仮囲１に取り付けられるようになっている。これにより、移動が必要な場合だけ、この係合片２１１ａ，２１１ｂを仮囲１の差し込みスリット１１に挿入して、キャスター２を使って移動させた後、移動が完了した時点で、この係合片２１１ａ，２１１ｂを差し込みスリット１１から外すことで、必要な時だけキャスター２を仮囲１に取り付けることができる。
側板２１１の上部前側には可動ブラケット２２が回動する際の中心となる軸２６，２７を挿通ための孔２１２が形成されている。
また側板２１１の下部には可動ブラケット２２の回動範囲を規制するための長孔２１３が形成されている。この長孔２１３は、可動ブラケット２２が軸２６，２７を中心として回動する軌跡に従って、円弧状に形成されている。
さらに、側板２１１の下部奥側には、係止ブラケット２３の軸が挿通される孔２１４が形成されている。
【００１６】
可動ブラケット２２は、底板２１１と、この底板２１１の両端から一体に立ち上がるように形成された側板２２２，２２２から構成されている。
この可動ブラケット２２の幅は、固定ブラケット２１の内側の幅よりも小さく形成されることにより、可動ブラケット２２が固定ブラケット２１内で回動できるようになっている。
底板２１１には、キャスター車輪２９を取り付けるための孔が形成されており、この孔にボルト、ナットによりキャスター車輪２９が取り付けられるようになっている。
側板２２２には、その上部中央に前面ブラケット２５の係合片と係合するためのスリット２２３が形成されている。
側板２２２の上記スリット２２３よりも前面寄りの部分には可動ブラケット２２が回動する際の中心となる軸２６，２７を挿通ための孔２２４が形成されている。
また側板２２２の下部やや奥寄りの部分には、軸２６を挿通するための孔２２５が形成されている。
【００１７】
係止ブラケット２３は、前方に突出したレバー部２３１を有した平面凸状に形成されている。
このレバー部２３１は、キャスターによる移動状態で、前面ブラケットの孔２５１から突出する長さを有している。
また、係止ブラケット２３は、その両端部に下方に延び出た側壁を有している。
この両端の側壁の奥側(固定ブラケット２１側)には孔がそれぞれ設けられており、この孔及び固定ブラケット２１の孔２１４，２１４に図示しない軸が挿通されることで、この軸を中心として係止ブラケット２３が、可動ラケット２２の動きに伴って回動できるようになっている。
また、側壁の前面側(可動ブラケット２２側)には、傾斜面２３３とそれに連通した係合孔２３２が形成されている。この契合孔２３２は、キャスターにより移動を行う状態、すなわち可動ブラケット２２が固定ブラケット２１ないに位置する状態で、軸２８と係合し、可動ブラケット２２の動きを規制するためのものである。
この係合孔２３２の前側は鉤状になっており可動ブラケット２２の動きを規制する一方、その奥側は下方に延びだした緩やかな傾斜面と連通することで、レバー部２３１を持ち上げられたときに、軸２８がこの傾斜面２３３に沿って僅かに前面側に押し出されることで、係合が解除されるようになっている。
【００１８】
前面ブラケット２５は、１枚の板状に形成されており、その両端に係合片２５２，２５２が形成されている。この係合片２５２，２５２がスリット２３２，２３２と係合すると共に、底面側に形成された係合片２５３，２５３が可動ブラケット２２の底面２２１に形成された孔に係合することで、この前面ブラケット２５が可動ブラケット２２に取り付けられるようになっている。
また前面ブラケット２５の中央部には孔２５１が形成されている。この孔２５１は長方形状をしており、この孔２５２からレバー部２３１が前面に露出するようになっている。
また、前面ブラケット２５の下部中央には、工具挿入用孔２５３が形成されている。この孔２５３は、底面に開口した半円状の孔となっており、本例では工具としてラチェットレンチのシノの先端が挿入できるだけの幅を有していればよい。
【００１９】
次に、本実施形態にかかるエレベータ仮囲いの使用方法及び動作について説明する。
まず、仮囲１が設置されている状態から、移動させる場合について説明する。
仮囲１が設置されている状態では、キャスター２は仮囲１から外された状態となっているので、事前に図３に示すようにキャスター２をエレベータ用仮囲１に取り付ける。取り付け方は、エレベータ仮囲１の側面下部に形成された差し込みスリット１１に、キャスター２の係合片２１１ａ、２１１ｂを差し込んで取り付ける。
【００２０】
キャスター２を仮囲１に取り付けた状態では、キャスター２は図４、図５に示すようにエレベータ用仮囲１の側面外側に、キャスター車輪２９が飛び出した状態となっている。
この状態では、キャスター車輪２９が飛び出しているため、エレベータ用仮囲１自体は沈み込んだ形となり、エレベータ仮囲１の底面が床につくように、あらかじめエレベータ用仮囲１に対するキャスター２の取り付け位置を調整されている。
これにより、この状態では、エレベータ用仮囲１の底面が床上に直接置かれた状態となっている。
【００２１】
この状態から、エレベータ用仮囲１を移動させるためには、まず、図８（ａ）に示すように孔２５３にラチェットレンチ３のシノを挿入する。
この状態で、図８（ｂ）のように、ラチェットレンチ３を下方に押すことで、可動ブラケット２２は、軸２６、２７を中心にして回転する。この時キャスター車輪２９は床面上に接触していることから、ラチェットレンチ３が押されることで、可動ブラケット２２の回転にあわせて回転する。これにより、大きな力を掛けなくとも車輪２９の回転により動かすことができる。
【００２２】
可動ブラケット２２の移動に伴い、軸２８が長孔２１３に沿って移動する。これにより、可動ブラケット２９が移動する軌跡及びその幅が規制される。
また、可動ブラケット２２の移動に伴い、軸２８が係止ブラケット２３の前面部分が押される。
これにより係止ブラケット２３は、孔２１４に挿通された軸を中心にして回転して僅かに上に押し上げられる。
そして、さらに可動ブラケット２２が回動することで、軸２８が係止ブラケット２３の係合孔２３２に嵌る。このように軸２３が係合孔２３２に嵌ることで、持ち上げられた係止ブラケット２３はほぼ水平な状態まで戻るとともに、係止ブラケット２３のレバー２３１が、前面ブラケット２５の中央部の孔２５１からほぼ水平な状態で突出した状態となる。
これにより、軸２８の動きが規制されることで、可動ブラケット２２が動かない状態となるため、エレベータ用仮囲１を押すことで、キャスター車輪２９が回転することで容易に移動させることができる。
【００２３】
次に移動完了後、エレベータ用仮囲１を設置する場合について説明する。
先ず図８（ｃ）のように、孔２５３にラチェットレンチのシノを挿入してリフトアップ方向に力を加えながら、レバー２３１を上に持ち上げる。これにより、軸２８が傾斜面２３３を滑って係合孔２３２から外れる。
【００２４】
軸２８が係合孔２３２から外れると、可動ブラケット２２及び軸２８は長孔２１３に沿ってエレベータ用仮囲１の外側に向かって移動する。
これにより、キャスター車輪２９は固定ブラケット２１の斜め下方側に飛び出した形となり、これによりキャスター車輪２９が外れることでエレベータ用仮囲１が僅かに下に沈み、その底面が床上に接することとなる。
この状態で、エレベータ用仮囲１の側面下部に形成された差し込みスリット１１から、係合片２１１ａ、２１１ｂを取り外す。これにより、キャスター２が仮囲１から取り外され、エレベータ用仮囲１は自立して、安定的に設置される。
【００２５】
このように、上述の実施形態によれば、エレベータ用仮囲１を移動させたいときは、可動ブラケット２２が固定ブラケット２１と並列して立つ位置で固定されることにより、可動ブラケット底面に固定されたキャスター車輪２９が回転可能となる。これにより簡単にエレベータ用仮囲１を移動させることができる。特に、エレベータ用仮囲１の重量が重い場合でも、キャスター２を取り付けるだけで簡単に移動させることができ、エレベータ用仮囲を撤去する時だけでなく、作業の都合で僅かに移動させたいときも簡単に移動させることができ、大変便利である。
また、エレベータ用仮囲１を設置する時は、キャスター２を取り外すことができることから、このキャスターが出っ張って作業者や通行人がこれに引っ掛かってけがをしたり、作業等の邪魔になることがない。
またこのキャスター２の回動も工具を使って簡単にできることから、キャスター２に余計な部材を付ける必要がなくコストも安価で、使いやすい。
【００２６】
上述の実施形態では、シノ付きラチェットレンチで可動ブラケット２２を操作する例について説明したが、工具としてはこれに限らず可動ブラケット２２を操作できる工具であれば限定されない。
【００２７】
エレベータ仮囲１は、引き戸式でもよいし、またドア式でもよく任意である。
【産業上の利用可能性】
【００２８】
本発明によるエレベータ乗場の仮囲いは、移動及び設置が容易な構成である。
【符号の説明】
【００２９】
１・・・エレベータ用仮囲
２・・・キャスター
２１・・固定ブラケット
２２・・可動ブラケット
２３・・係止(規制)ブラケット
２４・・回動止ブラケット
２５・・前面ブラケット
２６・・軸
２７・・軸
２８・・軸
２９・・キャスター車輪
【図１】
0005948681.tif 000002
【図２】
0005948681.tif 000003
【図３】
0005948681.tif 000004
【図４】
0005948681.tif 000005
【図５】
0005948681.tif 000006
【図６】
0005948681.tif 000007
【図７】
0005948681.tif 000008
【図８】
0005948681.tif 000009
【図９】
0005948681.tif 000010